(57)【特許請求の範囲】
【請求項１】
機器の外郭を構成するケース上とケース下と、前記ケース上に接着したトッププレートと、前記ケース上と前記ケース下の間に内蔵された加熱コイルと、前記加熱コイルを保持するコイルベースと、前記ケース下の底面に設置された基板と、前記基板と前記ケース下との間に設置された不燃材による不燃板とを備え、
高難燃性樹脂により成形した前記基板の側面の全てあるいは一部を覆う防護板を前記基板に装着した後、前記防護板を含めた前記基板全体を前記ケース下に組み込むものとし、このとき前記防御板が前記基板と前記ケース下により固定される構成とした誘導加熱調理器。
【請求項２】
機器の外郭を構成するケース上とケース下と、前記ケース上に接着したトッププレートと、前記ケース上と前記ケース下の間に内蔵された加熱コイルと、前記加熱コイルを保持するコイルベースと、前記ケース下の底面に設置された基板と、前記基板と前記ケース下との間に設置された不燃材による不燃板とを備え、
高難燃性樹脂により成形した前記基板の側面の全てあるいは一部を覆う防護板を前記基板に装着した後、前記防護板を含めた前記基板全体を前記ケース下に組み込むものとし、このとき前記防護板で不燃板を固定する構成とした誘導加熱調理器。
【請求項３】
前記防護板は、その一部で基板のコーナー部を覆う構成とした請求項１または２に記載の誘導加熱調理器。
【請求項４】
前記防護板は、基板の下面を支える支持片を有し、前記支持片は、高電圧部や大電流部等の危険部位を囲う構成とした請求項１〜３のいずれか１項に記載の誘導加熱調理器。
【請求項５】
前記防護板は、基板の下面を支える支持片を有し、前記基板は、前記支持片によってケース下に直接あるいは不燃板を介して支持される構成とした請求項１〜４のいずれか１項に記載の誘導加熱調理器。
【発明の詳細な説明】
【技術分野】
【０００１】
本発明は、加熱コイルの電磁誘導によりトッププレートの上に置かれた磁性の鍋を加熱調理する誘導加熱調理器の分野に関するものである。
【背景技術】
【０００２】
従来この種の誘導加熱調理器は、図５に示すように、ケース上１とケース下２が上下に合わさって製品の外郭を構成しており、前記ケース上にトッププレート３が接着されている。内部に加熱コイル５がコイルベース６に保持されている。コイルベース６の下方には基板７が載置されている（例えば、特許文献１参照）。このような卓上型の誘導加熱調理器は、近年薄型化および安全性の向上を求められている。薄型化を達成するためにはケース下２と基板７の距離が小さくなるが、ケース下は可燃物である樹脂によって構成されているため、基板とケース下の間にマイカ等の不燃材による不燃板１０を設置して、万一基板から発火した際に炎が外郭に及ぶのを防いでいる。
【特許文献１】特開２００５−７８９０２号公報
【発明の開示】
【発明が解決しようとする課題】
【０００３】
しかしながら上記従来の構成では、基板の下方は燃焼から防げるが、基板の側面に対してはケース側面との間に不燃材を配置するのが難しく、またマイカ等の板状の不燃材では側面やコーナー部を隙間のないように覆うことが困難であるという課題があった。また、ケース下全体を難燃性の高い樹脂で構成することで製品の難燃性を高める方法もあるが、一般的に高難燃性樹脂は難燃剤が多く含まれるために光沢性に優れないことから、外観品位が低下するという課題があった。
【０００４】
本発明は、前記従来の課題を解決するもので、簡単な組立で外観品位を損なうことなく安全性を向上させた誘導加熱調理器を提供することを目的とする。
【課題を解決するための手段】
【０００５】
上記課題を解決するために本発明の誘導加熱調理器は、高難燃性樹脂により防護板を成形し、その防護板を基板の側面に装着した後、防護板を含めた基板全体をケース下に組み込むものとし、このとき防御板が基板とケース下により固定される構成としたものである。このことにより、簡単な組立作業によって基板の側面方向の難燃性を向上させることができる。また、防護板の形状を自由に設計できるため、基板の任意の部分を覆うことができる。また、ケース下の樹脂は変えずに内部部品にて構成するため、外観品位を低下させることなく難燃性を向上させることができる。
【発明の効果】
【０００６】
本発明の誘導加熱調理器は、請求項１に記載の発明によれば、簡単な組立作業によって基板の側面方向の難燃性を向上させることができる。また、防護板の形状を自由に設計できるため、基板の任意の部分を覆うことができる。また、ケース下の樹脂は変えずに内部部品にて構成するため、外観品位を低下させることなく難燃性を向上させることができる。また、防護板をビス等で基板へ確実に固定しなくても、製品組立状態では防護板が固定されるよう組み立てることができる。
【０００７】
請求項２に記載の発明によれば、簡単な組立作業によって基板の側面方向の難燃性を向上させることができる。また、防護板の形状を自由に設計できるため、基板の任意の部分を覆うことができる。また、ケース下の樹脂は変えずに内部部品にて構成するため、外観品位を低下させることなく難燃性を向上させることができる。また、不燃板を個別に固定しなくても、製品状態では不燃板が固定されるよう組み立てることができる。
【０００８】
請求項３に記載の発明によれば、板状の不燃材では防護しにくいコーナー部を、防護板を任意の形状に形成することによって隙間のないよう覆うことができる。
【００１０】
請求項４に記載の発明によれば、防護板についた支持片により基板下面の高電圧部・大電流部等の危険部位を側面から覆うことで、支持片と不燃板により危険部位を難燃材で囲うことができる。
【００１１】
請求項５に記載の発明によれば、防護板についた支持片によりケース下と基板との距離を確保でき、ケース下からのボス等の支持部、すなわち難燃性の低い樹脂と基板を接触させなくてすむ。また、ケース下にボス等を設けないでよいため、ケース下や不燃板の形状を簡易化できる。
【発明を実施するための最良の形態】
【００１２】
第１の発明は、機器の外郭を構成するケース上とケース下と、ケース上に接着したトッププレートと、ケース上とケース下の間に内蔵された加熱コイルと、加熱コイルを保持するコイルベースと、ケース下の底面に設置された基板と、基板とケース下との間に設置された不燃材による不燃板とを備え、高難燃性樹脂により成形した基板の側面の全てあるいは一部を覆う防護板を基板に装着した後、防護板を含めた基板全体をケース下に組み込むものとし、このとき前記防御板が前記基板と前記ケース下により固定される構成としたものである。このことにより、簡単な組立作業によって基板の側面方向の難燃性を向上させることができる。また、防護板の形状を自由に設計できるため、基板の任意の部分を覆うことができる。また、ケース下の樹脂は変えずに内部部品にて構成するため、外観品位を低下させることなく製品の難燃性を向上させることができる。また、防護板をビス等で基板へ確実に固定しなくても、製品組立状態では防護板が固定されるよう組み立てることができる。
【００１３】
第２の発明は、機器の外郭を構成するケース上とケース下と、ケース上に接着したトッププレートと、ケース上とケース下の間に内蔵された加熱コイルと、加熱コイルを保持するコイルベースと、ケース下の底面に設置された基板と、基板とケース下との間に設置された不燃材による不燃板とを備え、高難燃性樹脂により成形した基板の側面の全てあるいは一部を覆う防護板を基板に装着した後、防護板を含めた基板全体をケース下に組み込むものとし、このとき前記防護板で不燃板を固定する構成としたものである。これにより、不燃板を個別に固定しなくても、製品状態では不燃板が固定されるよう組み立てることができる。
【００１４】
第３の発明は、特に、第１または第２の発明において、防護板の一部によって基板のコーナー部を覆う構成としたものである。このことにより、防護しにくいコーナー部を簡単な組立で隙間のないよう覆うことができる。
【００１６】
第４の発明は、特に、第１〜３のいずれか１つの発明において、防護板が有する基板の下面を支える支持片によって、高電圧部や大電流部等の危険部位の側面を囲う構成とした
ものである。このことにより、支持片と不燃板によって危険部位を覆うことができ、より安全性が高まる。
【００１７】
第５の発明は、特に、第１〜４のいずれか１つの発明において、防護板が有する基板の下面を支える支持片によって、基板をケース下から直接あるいは不燃板を介して支持する構成としたものである。このことにより、支持片によって基板と底面との距離を確保することができるため、ケース下からのボス等の支持部、すなわち難燃性の低い樹脂と基板とを接触させなくてすむ。また、ケース下にボス等を設けないでよいため、ケース下の形状を簡易化することができる。
【００１８】
以下、本発明の実施の形態について図面を用いて説明する。なお、この実施の形態によって本発明が限定されるものではない。
【００１９】
（実施の形態１）
図１において、ケース上１とケース下２が上下に合わさって製品の外郭を構成しており、ケース上１に耐熱強化ガラス製のトッププレート３が接着されている。ケース下２のほぼ中央にコイルベース６に保持された加熱コイル５が設けられ、加熱コイル５の下には基板７が置かれている。
【００２０】
図２は、ケース上１、加熱コイル５、コイルベース６を取り外した状態を上から見ている。基板７とケース下２の間には、マイカ製の不燃板１０が載置されており、ケース下２の側壁１４と基板７のコーナー部１７の間に高難燃性樹脂によって成形加工された防護板１１が設置されている。防護板１１はケース下２の形状に沿った形に成形されているため、コーナー部１７を隙間なくカバーすることができる。
【００２１】
図３は、基板７に防護板１１を取り付けた状態を下面から見た図である。防護板１１は、図３の支持片１２と図２のリブ１３により基板７に仮止めされている。防護板１１が基板７に装着された状態で、基板７を防護板１１ごとケース下２に設置することで、簡単に防護板１１を基板７側面とケース下２の側壁１４の間に設置することができる。また、複数の支持片１２によって大電流の流れるコイル接続端子１８のハンダ部を挟むことで、側面は防護板１１、下面は不燃板１０により囲い込んで外郭から保護することができる。図では側面３方向を防護板１１によって囲っているが、４方向を囲ってもよい。
【００２２】
図４は、防護板１１を含む基板７全体をケース下２に装着した状態の要部断面を示している。ケース下の底面１５とツメ１６により基板７、防護板１１、不燃板１０がすべて挟み込まれることによって、これらをケース下２に確実に固定させることができるため、防護板１１を確実に基板７に固定する必要がなく、不燃板１０をケース下２に確実に固定する必要がない。また、基板７は防護板１１の支持片１２によって支持されており、ケース下２との距離を一定の距離を保つようになっている。このことにより、ケース下２に基板支持のためのボス等をつける必要がなく、難燃性の低いケース下２の樹脂と基板７との接触を避けることができる。また、ケース下２の形状を単純化することができ、それに伴い不燃板１０にケース下２のボス等を避けるための切り込みや孔を設ける必要が無く、形状を単純化することができる。
【００２３】
なお、図では防護板１１は１つであるが、１つの基板７に対して複数設置してもよい。
【産業上の利用可能性】
【００２４】
以上のように、本発明にかかる誘導加熱調理器は、簡単な組立作業によって基板の側面方向の難燃性を向上させることができるので、基板を有す加熱調理器等の用途にも適用できる。
【図面の簡単な説明】
【００２５】
【図１】本発明の実施の形態１における誘導加熱調理器の概略図
【図２】本発明の実施の形態１における誘導加熱調理器の内部構成図
【図３】本発明の実施の形態１における誘導加熱調理器の基板への防護板の取付図
【図４】本発明の実施の形態１における誘導加熱調理器の要部断面図
【図５】従来の誘導加熱調理器の構成図
【符号の説明】
【００２６】
１  ケース上
２  ケース下
３  トッププレート
４  操作部
５  加熱コイル
６  コイルベース
７  基板
８  ファン
９  コイルホルダ
１０  不燃板
１１  防護板
１２  支持片
１３  リブ
１４  ケース下側壁
１５  ケース下底面
１６  ツメ
１７  基板コーナー部
１８  コイル接続端子
【図１】
0004830582.tif 000002
【図２】
0004830582.tif 000003
【図３】
0004830582.tif 000004
【図４】
0004830582.tif 000005
【図５】
0004830582.tif 000006